(57)【要約】【課題】  熱線検知などで人の接近を検知するようにした人感センサにおいて、通信線などを敷設する必要のない低コストな構成で、きめ細かな制御を可能にする。【解決手段】  複数の人感センサＳ１〜Ｓ５の内の１台Ｓ１が親機となり、他は子機となり、子機は親機に一対の給電線のみを介して接続される。各子機へは、親機から前記給電線を介して所定の給電電圧で電源供給を行っており、子機は人を検知すると、前記給電電圧を自機が動作可能な範囲で低下させ、親機に検知出力を導出する。この際、その電圧低下のレベルを、検知エリアによって異ならせることで、親機はどのセンサで検知されたのかを認識することができる。その検知結果に応答して、複数の負荷Ｌ１，Ｌ２の内の一部または全部を選択して駆動したり、１つの負荷Ｆの駆動レベルを選択するなど、負荷を異なる制御態様で制御することで、低コストな構成で、きめ細かな制御を行うことができる。【選択図】      図１
2006351227.tif 000002
【特許請求の範囲】
【請求項１】
親機から給電線を介して給電され、人の接近を検知すると、その給電電圧を降下させることで前記親機に検知出力を導出するようにした人感センサにおいて、
前記給電電圧を相互に異なるレベルに降下させることができる複数の電圧降下手段と、
前記電圧降下手段を選択する選択手段とを含むことを特徴とする人感センサ。
【請求項２】
前記給電線からの給電電圧を該人感センサ内で使用する予め定める電源電圧レベルに降下させて安定化させる電源回路と、
前記電源回路からの電源電圧で駆動され、人の接近を検知すると検知出力を導出する熱線センサとを備え、
前記各電圧降下手段は、前記給電電圧を、前記電源電圧レベルよりも高いそれぞれの対応電圧レベルに降下させることを特徴とする請求項１記載の人感センサ。
【請求項３】
前記請求項１または２記載の複数の人感センサを子機として、
自機にも熱線センサを備えるとともに、子機で共用される前記給電線を介して子機へ電源供給を行う電源回路と、前記子機および自機の熱線センサの検知結果に応答して、異なる制御態様で負荷を制御する制御手段とを備える親機を備えて成ることを特徴とするセンサシステム。
【発明の詳細な説明】
【技術分野】
【０００１】
本発明は、熱線センサなどの人感センサ、およびその人感センサからの出力に応答して、照明器具などの負荷を制御するようにしたセンサシステムに関する。
【背景技術】
【０００２】
上記のような人感センサからの出力に応答して照明器具などを制御するようにした典型的な従来技術は特許文献１に示されている。その従来技術によれば、図９で示すように、トイレ１内に、複数の人感センサｓ１〜ｓ５を設け、特定の人感センサ（図９ではトイレ１の入口付近に設置される人感センサｓ１）を親機として、他の人感センサ（ｓ２〜ｓ４）を子機とし、人感センサｓ１〜ｓ５のいずれかで人を検知したときに、親機は、照明器具ｌ１，ｌ２を点灯させるとともに、換気扇ｆを作動させ、検知しなくなってから所定時間経過すると、照明器具ｌ１，ｌ２を消灯させるとともに、換気扇ｆを停止させるというものである。
【０００３】
人感センサｓ１〜ｓ５間の接続は、一対の給電線のみであり、親機となる前記人感センサｓ１から子機となる残余の人感センサｓ２〜ｓ５へ個別に、或いは渡り配線で行われる。そして、親機は子機が動作するのに充分な予め定める高電圧で子機側へ給電しており、子機側の人感センサｓ２〜ｓ５は、人の接近を検知すると、その給電電圧を自機が動作するのに可能なレベルの予め定める低電圧に降下させることで、前記親機となる人感センサｓ１に検知出力を導出する。こうして、信号線の配線や、面倒な子機のアドレス設定が不要になっている。
【０００４】
これによって、たとえば洗面台３付近で人が検知されなくなっても、トイレの内側４で人が検知されると、照明器具ｌ１，ｌ２を点灯させ続けるとともに、換気扇ｆを作動させ続けることで、人の移動に伴って不所望に照明器具ｌ１，ｌ２が消灯したり、換気扇ｆが停止したりしないようになっている。
【特許文献１】特開２００２−２３１４６７号公報
【発明の開示】
【発明が解決しようとする課題】
【０００５】
しかしながら、上述の従来技術では、人感センサｓ１〜ｓ５のいずれかで人を検知したときに、親機は、総ての負荷（照明器具ｌ１，ｌ２および換気扇ｆ）を一括して作動させるので、この人感センサｓ１〜ｓ５を設ける初期の目的である省エネルギ化の効率が悪いという問題がある。すなわち、使用者がいちいちスイッチ操作をしなくてもよい点および消し忘れのない点では効果があるものの、たとえば手を洗いに来た使用者に対して、関係のない照明器具ｌ２まで点灯させたり、換気扇ｆを作動させたりして、きめ細かな制御を行うことができない。
【０００６】
一方、図１０で示すように、洗面台３側とトイレの内側４とにそれぞれ親機を設置するようにし（図１０では人感センサｓ３’を親機として、人感センサｓ２は人感センサｓ１のみの子機、人感センサｓ４，ｓ５がこの人感センサｓ３’の子機となっている）、複数の負荷（照明器具ｌ１，ｌ２および換気扇ｆ）を２台の親機で分担して制御することで、（図１０では、人感センサｓ１は照明器具ｌ１のみを点灯／消灯制御し、人感センサｓ３’が照明器具ｌ２を点灯／消灯制御するとともに、換気扇ｆをＯＮ／ＯＦＦ制御する）きめ細かな制御が可能となる。しかしながら、親機が複数台必要となり、コストアップになるという問題がある。
【０００７】
本発明の目的は、低コストで、きめ細かな負荷制御を行うことができる人感センサおよびそれを用いるセンサシステムを提供することである。
【課題を解決するための手段】
【０００８】
本発明の人感センサは、親機から給電線を介して給電され、人の接近を検知すると、その給電電圧を降下させることで前記親機に検知出力を導出するようにした人感センサにおいて、前記給電電圧を相互に異なるレベルに降下させることができる複数の電圧降下手段と、前記電圧降下手段を選択する選択手段とを含むことを特徴とする。
【０００９】
上記の構成によれば、熱線検知などで人の接近を検知するようにした人感センサにおいて、その検知結果を、親機から該人感センサに電源供給を行うための給電線を介して前記親機へ出力するにあたって、給電電圧を降下させる電圧降下手段を複数設け、その電圧降下手段を選択手段で選択する。
【００１０】
したがって、アドレス設定を必要とする複雑な通信手段を用いなくても、親機は給電電圧の降下レベルから、どの人感センサが人を検知したのかを認識することができ、それに応じた異なる態様の制御出力などを行うことができる。これによって、通信線などを敷設する必要のない低コストな構成で、きめ細かな制御を行うことができる。
【００１１】
また、本発明の人感センサは、前記給電線からの給電電圧を該人感センサ内で使用する予め定める電源電圧レベルに降下させて安定化させる電源回路と、前記電源回路からの電源電圧で駆動され、人の接近を検知すると検知出力を導出する熱線センサとを備え、前記各電圧降下手段は、前記給電電圧を、前記電源電圧レベルよりも高いそれぞれの対応電圧レベルに降下させることを特徴とする。
【００１２】
上記の構成によれば、人の接近を検知したときに、給電線の給電電圧を複数のレベルから選択して降下させることができる人感センサを具体的に実現することができる。
【００１３】
さらにまた、本発明のセンサシステムは、複数の人感センサを子機として、自機にも熱線センサを備えるとともに、子機で共用される前記給電線を介して子機へ電源供給を行う電源回路と、前記子機および自機の熱線センサの検知結果に応答して、異なる制御態様で負荷を制御する制御手段とを備える親機を備えて成ることを特徴とする。
【００１４】
上記の構成によれば、熱線センサを備える複数の人感センサの内の１台が親機となり、他は子機となり、親機には自機および複数の子機へ電源供給を行う電源回路および制御手段を設け、前記制御手段は、子機および自機の熱線センサの検知結果に応答して、複数の負荷の内の一部または全部を選択して駆動したり、１つの負荷の駆動レベルを選択するなど、負荷を異なる制御態様で制御する。
【００１５】
したがって、複数の人感センサを連動させてそれぞれの検知結果に応じた負荷の制御を行うことができるセンサシステムを実現することができる。
【発明の効果】
【００１６】
本発明の人感センサは、以上のように、熱線検知などで人の接近を検知するようにした人感センサにおいて、その検知結果を、外部の親機から該人感センサに電源供給を行うための給電線を介して前記親機へ出力するにあたって、給電電圧を降下させる電圧降下手段を複数設け、その電圧降下手段を選択手段で選択する。
【００１７】
それゆえ、アドレス設定を必要とする複雑な通信手段を用いなくても、親機は給電電圧の降下レベルから、どの人感センサが人を検知したのかを認識することができ、それに応じた異なる態様の制御出力などを行うことができる。これによって、通信線などを敷設する必要のない低コストな構成で、きめ細かな制御を行うことができる。
【００１８】
さらにまた、本発明のセンサシステムは、以上のように、熱線センサを備える複数の人感センサの内の１台が親機となり、他は子機となり、親機には自機および子機へ電源供給を行う電源回路および制御手段を設け、前記制御手段は、子機および自機の熱線センサの検知結果に応答して、複数の負荷の内の一部または全部を選択して駆動したり、１つの負荷の駆動レベルを選択するなど、負荷を異なる制御態様で制御する。
【００１９】
それゆえ、複数の人感センサを連動させてそれぞれの検知結果に応じた負荷の制御を行うことができるセンサシステムを実現することができる。
【発明を実施するための最良の形態】
【００２０】
［実施の形態１］
図１は、本発明の実施の一形態に係るセンサシステムを説明するための図である。このセンサシステムも、前述の図９で示すセンサシステムと同様に、トイレ１１内に、複数の人感センサＳ１〜Ｓ５を設け、特定の人感センサ（図９ではトイレ１１の入口１２付近に設置される人感センサＳ１）を親機として、他の人感センサ（Ｓ２〜Ｓ４）を子機とし、人感センサＳ１〜Ｓ５のいずれかで人を検知したときに、親機となる前記人感センサＳ１は、複数の負荷である照明器具Ｌ１，Ｌ２を点灯／消灯制御するとともに、換気扇Ｆを作動／停止制御する。
【００２１】
そして、人感センサＳ１〜Ｓ５間の接続は、一対の給電線のみであり、親機となる前記人感センサＳ１から子機となる残余の人感センサＳ２〜Ｓ５へ個別に、或いは渡り配線で行われる。そして、親機の人感センサＳ１は子機の人感センサＳ２〜Ｓ５が動作するのに充分な予め定める高電圧で子機側へ給電しており、子機側の人感センサＳ２〜Ｓ５は、人の接近を検知すると、その給電電圧を自機が動作するのに可能なレベルの予め定める低電圧に降下させることで、前記親機側の人感センサＳ１に検知出力を導出し、こうして、信号線の配線や、面倒な子機のアドレス設定が不要になっている点も、前述の従来技術と同様である。
【００２２】
注目すべきは、本発明のセンサシステムでは、人感センサＳ１〜Ｓ５の電圧降下のレベルが、複数の検知エリア毎に分割して設定されており、親機となる人感センサＳ１は、その降下したレベル、すなわち検知エリアに対応した負荷を、対応した態様で制御することである。具体的には、図１の例では、洗面台１３付近の人感センサＳ１，Ｓ２にはレベル１が設定されており、これらの人感センサＳ１，Ｓ２で人が検知されると、親機の人感センサＳ１は、照明器具Ｌ１のみを点灯制御し、人が検知されなくなって予め定める時間が経過すると、消灯制御する。
【００２３】
これに対して、トイレの内側１４において、小便所１５の人感センサＳ３はレベル２に設定されており、この人感センサＳ３で人が検知されると、親機の人感センサＳ１は、照明器具Ｌ１，Ｌ２を共に点灯制御するとともに、換気扇Ｆを弱（低風量）で作動させ、人が検知されなくなって予め定める時間が経過すると、消灯および停止させる。また、大便所１６，１７の人感センサＳ４，Ｓ５はレベル３に設定されており、これらの人感センサＳ４，Ｓ５で人が検知されると、親機の人感センサＳ１は、照明器具Ｌ２のみを点灯制御するとともに、換気扇Ｆを強（大風量）で作動させ、人が検知されなくなって予め定める時間が経過すると、消灯および停止させる。
【００２４】
このため、図２で示すように、各人感センサＳ１〜Ｓ５には、前記電圧降下のレベル、すなわち検知エリアを設定するためのエリア設定スイッチＳＷが設けられている。ここで、親機となる人感センサＳ１も、子機と同様のセンサ部分と、親機としての制御を行う制御部とを備えて構成される。
【００２５】
図３は、子機となる人感センサＳ２〜Ｓ５および親機となる人感センサＳ１の前記センサ部分の構成を示すブロック図である。前記人感センサＳ２〜Ｓ５および人感センサＳ１のセンサ部分は、大略的に、ダイオードブリッジ２１と、電源回路２２と、熱線センサ２３と、電圧降下回路２４とを備えて構成される。
【００２６】
人感センサＳ１の制御部からは、給電線Ｓ０を介して、予め定める給電電圧Ｖ１、たとえば１２Ｖで電源供給が行われ、該給電線Ｓ０の極性を任意にするダイオードブリッジ２１から、前記電圧降下回路２４を接続するにあたって介在される抵抗Ｒ１，Ｒ２およびリップル吸収用のコンデンサＣ１を介して電源回路２２へ入力され、該電源回路２２では、前記給電電圧Ｖ１から、前記人感センサＳ２〜Ｓ５および人感センサＳ１のセンサ部分で使用される電源電圧Ｖ２、たとえば３Ｖに降下され、平滑コンデンサＣ１２で安定化されて前記熱線センサ２３に供給される。
【００２７】
熱線センサ２３は、人の接近を検知すると、前記電圧降下回路２４へ、ハイレベルの制御信号ＣＴＬを出力する。前記電圧降下回路２４は、前記抵抗Ｒ１，Ｒ２と、選択手段である前記エリア設定スイッチＳＷと、複数の電圧降下手段を構成するツェナダイオードＺＤ１，ＺＤ２，ＺＤ３、制御トランジスタＴＲ１，ＴＲ２，ＴＲ３および抵抗Ｒ１１，Ｒ１２；Ｒ２１，Ｒ２２；Ｒ３１，Ｒ３２とを備えて構成される。
【００２８】
前記ダイオードブリッジ１１から電源回路２２への電源ラインに設けられる抵抗Ｒ１，Ｒ２間には、前記エリア設定スイッチＳＷによって選択された、ツェナダイオードＺＤ１と制御トランジスタＴＲ１との直列回路、ツェナダイオードＺＤ２と制御トランジスタＴＲ２との直列回路またはツェナダイオードＺＤ３と制御トランジスタＴＲ３との直列回路のうちのいずれかの一端が接続され、前記直列回路の他端は共通にＧＮＤに接続されている。前記制御トランジスタＴＲ１のベースには前記熱線センサ２３からの制御信号ＣＴＬが抵抗Ｒ１１，Ｒ１２を介して与えられ、前記制御信号ＣＴＬがハイレベルとなると該制御トランジスタＴＲ１がＯＮし、前記エリア設定スイッチＳＷによって選択されていると、前記給電電圧Ｖ１をツェナダイオードＺＤ１のブレークダウン電圧に降下させる。同様に、前記制御トランジスタＴＲ２のベースには前記熱線センサ２３からの制御信号ＣＴＬが抵抗Ｒ２１，Ｒ２２を介して与えられ、前記制御信号ＣＴＬがハイレベルとなると該制御トランジスタＴＲ２がＯＮし、前記エリア設定スイッチＳＷによって選択されていると、前記給電電圧Ｖ１をツェナダイオードＺＤ２のブレークダウン電圧に降下させ、また前記制御トランジスタＴＲ３のベースにも前記熱線センサ２３からの制御信号ＣＴＬが抵抗Ｒ３１，Ｒ３２を介して与えられ、前記制御信号ＣＴＬがハイレベルとなると該制御トランジスタＴＲ３がＯＮし、前記エリア設定スイッチＳＷによって選択されていると、前記給電電圧Ｖ１をツェナダイオードＺＤ３のブレークダウン電圧に降下させる。
【００２９】
したがって、ツェナダイオードＺＤ１，ＺＤ２，ＺＤ３のブレークダウン電圧を、それぞれ７Ｖ，６Ｖ，５Ｖとすると、ダイオードブリッジ２１による電圧降下が生じるので、前記給電線Ｓ０の給電電圧Ｖ１の電圧降下は、エリア設定スイッチＳＷで、ツェナダイオードＺＤ１が選択されていると８Ｖとなり、ツェナダイオードＺＤ２が選択されていると７Ｖとなり、ツェナダイオードＺＤ３が選択されていると６Ｖとなる。このような給電電圧Ｖ１の電圧変化から、親機となる人感センサＳ１の制御部は、各人感センサＳ１〜Ｓ５の内、どのエリアの人感センサが検知したのを読取ることができる。
【００３０】
図４は、親機となる前記人感センサＳ１の制御部の具体的な一構成例を示すブロック図である。この制御部は、電源回路２６、電源供給回路２７、人感センサ電圧モニタ部２８および制御回路２９を備えて構成される。前記電源回路２６からの直流電源電圧Ｖ４は、抵抗Ｒ５１およびトランジスタＴＲ５１を介して平滑コンデンサＣ５１に入力される。前記トランジスタＴＲ５１のベース電位は、抵抗Ｒ５２およびツェナダイオードＺＤ５１によって予め定める電位に保持されており、これによって平滑コンデンサＣ５１からは、前記人感センサＳ１〜Ｓ５への給電電圧Ｖ１（前記１２Ｖ）に対応した電圧Ｖ５が出力される。その電圧Ｖ５は、定電流出力回路となるトランジスタＴＲ５２，ＴＲ５３および抵抗Ｒ５３，Ｒ５４を介して前記給電電圧Ｖ１となり、給電線Ｓ０へ出力される。
【００３１】
前記給電電圧Ｖ１は、コンデンサＣ５２および抵抗Ｒ５５によって、リップルの除去および安定化されて、入力抵抗Ｒ５６を介して取込まれ、３つの比較器ＣＰ１〜ＣＰ３の非反転入力端に共通に与えられる。前記比較器ＣＰ１〜ＣＰ３は、トランジスタＴＲ５１の出力電圧Ｖ５で駆動され、その反転入力端には、前記電圧Ｖ５をそれぞれ異なる分圧値の分圧抵抗Ｒ６１，Ｒ６２；Ｒ７１，Ｒ７２；Ｒ８１，Ｒ８２で分圧して得られた基準電圧Ｖｒｅｆ１１，Ｖｒｅｆ１２，Ｖｒｅｆ１３が入力されている。各比較器ＣＰ１〜ＣＰ３は、給電電圧Ｖ１が基準電圧Ｖｒｅｆ１１，Ｖｒｅｆ１２，Ｖｒｅｆ１３以上であるとローレベルを出力し、未満であるとハイレベルを出力する。その出力は、プルアップ抵抗Ｒ９１〜Ｒ９３を介して、オープンコレクタ出力で前記制御回路２９のポートへ入力される。したがって、制御回路２９は、人感センサＳ１〜Ｓ５の検知結果が、どのレベルにあるのかを認識することができる。
【００３２】
制御回路２９は、マイクロコンピュータおよびその周辺回路などから成り、給電線Ｓ０の電圧降下のレベル、すなわち検知エリアに対応して、制御すべき負荷、および制御態様を記憶したメモリを備えている。そして、検知されたエリアに対応した制御出力を、前記照明器具Ｌ１，Ｌ２および換気扇Ｆへ出力する。
【００３３】
このように構成することで、アドレス設定を必要とする複雑な通信手段を用いなくても、親機となる人感センサＳ１は、給電電圧Ｖ１の降下レベルから、どの人感センサが人を検知したのかを認識することができ、それに応じた異なる態様の制御出力などを行うことができる。これによって、通信線などを敷設する必要のない低コストな構成で、きめ細かな制御を行うことができる。
【００３４】
また、熱線センサ２３を備える複数の人感センサＳ１〜Ｓ５の内の１台（Ｓ１）が親機となり、他（Ｓ２〜Ｓ５）は子機となり、親機には自機および複数の子機へ電源供給を行う電源回路２６および電源供給回路２７と、人感センサ電圧モニタ部２８と、制御回路２９とを設け、前記制御回路２９は、子機および自機の熱線センサ２３の検知結果に応答して、複数の負荷の内の一部または全部を選択して駆動したり、１つの負荷の駆動レベルを選択するなど、負荷を異なる制御態様で制御するので、複数の人感センサＳ１〜Ｓ５を連動させてそれぞれの検知結果に応じた負荷の制御を行うことができるセンサシステムを実現することができる。
【００３５】
［実施の形態２］
図５は、本発明の実施の他の形態に係る監視制御システムのブロック図である。本監視制御システムでは、前記照明器具Ｌ１，Ｌ２はリレー端末器Ｔ／Ｕ１を介して多重伝送線Ｓ１０に接続されており、この多重伝送線Ｓ１０には、監視制御システムの親機である監視制御装置Ｕ０が接続されるとともに、リレー端末器Ｔ／Ｕ２を介してブザーＢ１〜Ｂ３が接続され、また外部接点入力端末器Ｔ／Ｕ３を介して防犯信号が入力される。さらにまた、多重伝送線Ｓ１０には、センサ端末器Ｔ／Ｕ１０を介して親機の人感センサＳ１’が接続されるとともに、照明ＯＮ／ＯＦＦスイッチＳＷ１およびブザーＯＮ／ＯＦＦスイッチＳＷ２が接続される。
【００３６】
注目すべきは、本監視制御システムでは、監視制御装置Ｕ０は、前記防犯信号が入力されないときは省エネモードとなり、前記親機の人感センサＳ１’からの検知結果に対応した照明器具Ｌ１，Ｌ２を点灯／消灯制御し、前記防犯信号が入力されて防犯モードにセットされると、前記親機の人感センサＳ１’からの検知結果に対応したブザーＢ１〜Ｂ３を鳴動させることである。前記照明器具Ｌ１，Ｌ２の点灯／消灯は、前記照明ＯＮ／ＯＦＦスイッチＳＷ１によっても制御することができ、前記ブザーＢ１〜Ｂ３の鳴動は、ブザーＯＮ／ＯＦＦスイッチＳＷ２によって停止させることができる。前記防犯信号は、ビル管理用のタイマや、キーボックスなどから連動出力させることができる。
【００３７】
図６は、前記親機の人感センサＳ１’の制御部の電気的構成を示すブロック図である。図６において、前述の図４と同一の構成には、同一の参照符号を付して示し、その説明を省略する。人感センサＳ１’は、前述の電源回路２６、電源供給回路２７、熱線センサ２３および人感センサ電圧モニタ部２８に、制御回路２９’と、多重伝送信号送受信部３１と、アドレス記憶部３２とを備えて構成される。ただし、電源回路２６は、多重伝送線Ｓ０から直流電源電圧ＶＤＤを作成する。
【００３８】
前記制御回路２９’は、マイクロコンピュータおよびその周辺回路などを備えて構成され、前記人感センサ電圧モニタ部２８からの検知結果の入力に応答して、アドレス記憶部３２に記憶されている監視制御装置Ｕ０のアドレスに、多重伝送信号送受信部３１から多重伝送線Ｓ０を介して、いずれのレベルの人感センサで人が検知されたのかを出力する。これに応答して、監視制御装置Ｕ０は、省エネモードであるときは検知結果に対応した照明器具Ｌ１，Ｌ２を点灯／消灯制御し、防犯モードであるときは対応したブザーＢ１〜Ｂ３を鳴動させる。すなわち、人感センサで人が検知されると、監視制御装置Ｕ０は、省エネモードであるときはリレー端末器Ｔ／Ｕ１にアクセスし、防犯モードであるときはリレー端末器Ｔ／Ｕ２にアクセスする。
【００３９】
図７は、上述のような監視制御システムの動作を説明するためのタイミングチャートである。省エネモードにセットされている状態で、時刻ｔ１においてセンサ入力が発生すると、照明器具Ｌ１，Ｌ２が点灯され、時刻ｔ２においてセンサ入力が消失してから予め定める動作遅延時間が経過すると、その時刻ｔ３で前記照明器具Ｌ１，Ｌ２は消灯される。時刻ｔ４〜ｔ６でも同様で、時刻ｔ４においてセンサ入力が発生すると照明器具Ｌ１，Ｌ２が点灯され、時刻ｔ５においてセンサ入力が消失してから予め定める動作遅延時間が経過すると、その時刻ｔ６で前記照明器具Ｌ１，Ｌ２は消灯される。
【００４０】
その後、時刻ｔ１０で前記防犯信号が入力され、防犯モードにセットされると、時刻ｔ１１においてセンサ入力が発生すると、ブザーＢ１〜Ｂ３が鳴動され、時刻ｔ１２で前記ブザーＯＮ／ＯＦＦスイッチＳＷ２が操作されると、鳴動が停止される。防犯モードにおいてセンサ入力が発生しても、前記照明器具Ｌ１，Ｌ２を点灯するようにしてもよい。
【００４１】
このように構成することで、人感センサＳ１’，Ｓ２〜Ｓ５の検知結果で、負荷を制御するだけでなく、防犯動作を行うことができ、不審者の侵入検知用に別途に人感センサを設ける必要をなくすことができる。
【００４２】
［実施の形態３］
図８は、本発明の実施のさらに他の形態に係る監視制御システムの動作を説明するためのシーケンス図である。本監視制御システムには、上述の図５で示す監視制御システムの構成を用いることができ、親機の人感センサＳ１’の制御回路２９’の動作および監視制御装置Ｕ０の動作が異なるだけである。注目すべきは、本監視制御システムでは、親機の人感センサＳ１’が、監視制御装置Ｕ０によってモードセットされ、そのモードに応じて、監視制御装置Ｕ０を、リレー端末器Ｔ／Ｕ１またはＴ／Ｕ２にアクセスさせることである。
【００４３】
このため、人感センサＳ１’のアドレス記憶部３２には、前記監視制御装置Ｕ０のアドレスとして、照明器具アドレスおよび防犯用アドレスが記憶されており、またこの人感センサＳ１’には、それらの検知結果の出力用のアドレス以外に、モード切換え用のアドレスが設定されている。前記照明器具アドレスはリレー端末器Ｔ／Ｕ１の各照明器具Ｌ１，Ｌ２に対応したものであり、前記防犯用アドレスはリレー端末器Ｔ／Ｕ２の各ブザーＢ１〜Ｂ３に対応したものである。
【００４４】
図８を参照して、時刻ｔ１１において前記防犯信号がＯＦＦとなって、時刻ｔ１２において外部接点入力端末器Ｔ／Ｕ３が監視制御装置Ｕ０にアクセスすると、該監視制御装置Ｕ０は人感センサＳ１’のモード切換え用のアドレスにアクセスして、省エネモードにセットする。時刻ｔ１３においていずれかの人感センサの熱線センサ２３によって人が検知されると、人感センサＳ１’は、時刻ｔ１４において、監視制御装置Ｕ０の照明器具アドレスにアクセスし、リレー端末器Ｔ／Ｕ１を介して照明器具Ｌ１，Ｌ２をＯＮさせる。人が検知されなくなって所定時間が経過すると、人感センサＳ１’は、時刻ｔ１５において、監視制御装置Ｕ０の照明器具アドレスにアクセスし、リレー端末器Ｔ／Ｕ１を介して照明器具Ｌ１，Ｌ２をＯＦＦさせる。
【００４５】
これに対して、時刻ｔ１６において前記防犯信号がＯＮとなって、時刻ｔ１７において外部接点入力端末器Ｔ／Ｕ３が監視制御装置Ｕ０にアクセスすると、該監視制御装置Ｕ０は人感センサＳ１’のモード切換え用のアドレスにアクセスして、防犯モードにセットする。時刻ｔ１８においていずれかの人感センサの熱線センサ２３によって人が検知されると、人感センサＳ１’は、時刻ｔ１９において、監視制御装置Ｕ０の防犯用アドレスにアクセスし、リレー端末器Ｔ／Ｕ２を介してブザーＢ１〜Ｂ３を鳴動させる。時刻ｔ２０においてブザーＯＮ／ＯＦＦスイッチＳＷ２が操作され、時刻ｔ２１において監視制御装置Ｕ０にアクセスすると、該監視制御装置Ｕ０はリレー端末器Ｔ／Ｕ２にアクセスしてブザーＢ１〜Ｂ３の鳴動を停止させる。
【００４６】
時刻ｔ２２において前記防犯信号がＯＦＦとなると、時刻ｔ２３において外部接点入力端末器Ｔ／Ｕ３が監視制御装置Ｕ０にアクセスすると、該監視制御装置Ｕ０は人感センサＳ１’のモード切換え用のアドレスにアクセスして、省エネモードにセットする。
【００４７】
このように構成してもまた、人感センサＳ１’，Ｓ２〜Ｓ５の検知結果で、負荷を制御するだけでなく、防犯動作を行うことができ、不審者の侵入検知用に別途に人感センサを設ける必要をなくすことができる。
【図面の簡単な説明】
【００４８】
【図１】本発明の実施の一形態に係るセンサシステムを説明するための図である。
【図２】各人感センサに設けられるエリア設定スイッチを示す正面図である。
【図３】子機となる人感センサおよび親機となる人感センサのセンサ部分の構成を示すブロック図である。
【図４】親機となる人感センサの制御部の具体的な一構成例を示すブロック図である。
【図５】本発明の実施の他の形態に係る監視制御システムのブロック図である。
【図６】図５で示す監視制御システムにおける親機の人感センサの制御部の電気的構成を示すブロック図である。
【図７】図５で示す監視制御システムの動作を説明するためのタイミングチャートである。
【図８】本発明の実施のさらに他の形態に係る監視制御システムの動作を説明するためのシーケンス図である。
【図９】典型的な従来技術のセンサシステムを説明するための図である。
【図１０】他の従来技術のセンサシステムを説明するための図である。
【符号の説明】
【００４９】
１１    トイレ
１２    入口
１３    洗面台
１４    トイレの内側
１５    小便所
１６，１７    大便所
２１    ダイオードブリッジ
２２    電源回路
２３    熱線センサ
２４    電圧降下回路
２６    電源回路
２７    電源供給回路
２８    人感センサ電圧モニタ部
２９，２９’    制御回路
３１    多重伝送信号送受信部
３２    アドレス記憶部
Ｂ１〜Ｂ３    ブザー
Ｃ１，Ｃ５２    コンデンサ
Ｃ２，Ｃ５１    平滑コンデンサ
ＣＰ１〜ＣＰ３    比較器
Ｆ    換気扇
Ｌ１，Ｌ２    照明器具
Ｒ１，Ｒ２；Ｒ１１，Ｒ１２；Ｒ２１，Ｒ２２；Ｒ３１，Ｒ３２    抵抗
Ｒ５１〜Ｒ５６    抵抗
Ｒ６１，Ｒ６２；Ｒ７１，Ｒ７２；Ｒ８１，Ｒ８２    分圧抵抗
Ｒ９１〜Ｒ９３    プルアップ抵抗
Ｓ１，Ｓ１’    人感センサ（親機）
Ｓ０    給電線
Ｓ２〜Ｓ５    人感センサ（子機）
Ｓ１０  多重伝送線
ＳＷ    エリア設定スイッチ
ＳＷ１  照明ＯＮ／ＯＦＦスイッチ
ＳＷ２  ブザーＯＮ／ＯＦＦスイッチ
ＴＲ１，ＴＲ２，ＴＲ３    制御トランジスタ
ＴＲ５１〜ＴＲ５３    トランジスタ
Ｔ／Ｕ１，Ｔ／Ｕ２    リレー端末器
Ｔ／Ｕ３    外部接点入力端末器
Ｔ／Ｕ１０    センサ端末器
Ｕ０    監視制御装置
【図１】
2006351227.tif 000003
【図２】
2006351227.tif 000004
【図３】
2006351227.tif 000005
【図４】
2006351227.tif 000006
【図５】
2006351227.tif 000007
【図６】
2006351227.tif 000008
【図７】
2006351227.tif 000009
【図８】
2006351227.tif 000010
【図９】
2006351227.tif 000011
【図１０】
2006351227.tif 000012